(57)【要約】      （修正有）【課題】美しい湾曲周面を表面に露出させた形状でありながら、光源から照射される光を必要箇所とその周辺との限られた範囲に集めることができ、しかも、この光が前記限られた範囲を略均一な光量で照射できることとなる照明装置を提供する。【解決手段】光源１と、この光源１から照射される光を屈折するレンズ部２とを有する照明装置であって、前記レンズ部２は球形状であり、このレンズ部２の入光部３は、前記レンズ部２の湾曲周面の一部に形成された平坦面９であり、更に、前記入光部３には光散乱部５が設けられた照明装置。【選択図】図１
0003144213.tif 000002
【実用新案登録請求の範囲】
【請求項１】
光源と、この光源から照射される光を屈折するレンズ部とを有する照明装置であって、前記レンズ部は球形状であり、このレンズ部の入光部は、前記レンズ部の湾曲周面の一部に形成された平坦面であり、更に、前記入光部には光散乱部が設けられていることを特徴とする照明装置。
【請求項２】
請求項１記載の照明装置において、前記平坦面は、前記球形状のレンズ部の一部を除去して構成され該レンズ部の中心軸と直交する面若しくは平行な面であることを特徴とする照明装置。
【請求項３】
請求項１，２いずれか１項に記載の照明装置において、前記光散乱部は、前記平坦面に光散乱シートを設けて構成したもの、若しくは、前記平坦面をブラスト法により加工して構成したものであることを特徴とする照明装置。
【請求項４】
請求項１〜３いずれか１項に記載の照明装置であって、前記光源として、発光ダイオード若しくは有機ＥＬを採用したことを特徴とする照明装置。
【請求項５】
請求項１〜４いずれか１項に記載の照明装置において、前記平坦面は、前記光源の光軸がその中心を通る法線となるように構成されていることを特徴とする照明装置。
【請求項６】
請求項１〜５いずれか１項に記載の照明装置において、前記光源と前記レンズ部とは、所定の距離に固定されていることを特徴とする照明装置。
【請求項７】
光源と、この光源から照射される光を屈折するレンズ部とを有する照明装置であって、前記レンズ部は円柱形状であり、このレンズ部の入光部は、前記レンズ部の湾曲周面の一部に形成された平坦面であり、更に、前記入光部には光散乱部が設けられていることを特徴とする照明装置。
【請求項８】
請求項７記載の照明装置において、前記平坦面は、前記円柱状のレンズ部の一部を除去して構成され該レンズ部の中心軸と平行な面であることを特徴とする照明装置。
【請求項９】
請求項７，８記載の照明装置において、前記光源は、前記平坦面とした前記レンズ部の少なくとも左右両端部に設けられていることを特徴とする照明装置。
【請求項１０】
請求項７〜９いずれか１項に記載の照明装置において、前記光散乱部55は、前記平坦面に光散乱シートを設けて構成したもの、若しくは、前記平坦面をブラスト法により加工して構成したものであることを特徴とする照明装置。
【請求項１１】
請求項７〜１０いずれか１項に記載の照明装置であって、前記光源として、発光ダイオード若しくは有機ＥＬを採用したことを特徴とする照明装置。
【請求項１２】
請求項７〜１１いずれか１項に記載の照明装置において、前記平坦面は、前記光源の光軸が法線となり、この法線が前記レンズ部の中心軸と交差するように構成されていることを特徴とする照明装置。
【請求項１３】
請求項６〜１０いずれか１項に記載の照明装置において、前記光源と前記レンズ部とは、所定の距離に固定されていることを特徴とする照明装置。
【請求項１４】
請求項１〜１１いずれか１項に記載の照明装置において、前記光源にはハウジングが設けられ、このハウジングにはアーム部が設けられ、このアーム部には載置部が設けられていることを特徴とする照明装置。
【考案の詳細な説明】
【技術分野】
【０００１】
本考案は、従来にない極めてデザイン性に秀れて実用的な照明装置に関するものである。
【背景技術】
【０００２】
近年、光が人の心に与える作用が広く研究され始め、照明装置への関心は以前にも増して高まっている。例えば自宅などの居住空間において、心を癒し空間を居心地良くするためなど、照明装置には、実用性だけでなく空間を演出するためのデザイン性も強く求められている。特に、癒し効果を有するとされる球や円柱などの湾曲形状を有した照明装置の需要は高く、これら形状の照明装置は商品価値が高いものとなり、売り上げの向上も期待できる。
【０００３】
しかしながら、光を限られた箇所に照射するタイプの照明装置に関しては、光を必要箇所に集める為の円錐形の大きな傘が設けられており、外観が良くないものが一般的である。
【０００４】
また、傘を使わずに限られた範囲を照らす方法として、例えば特表２００４−５１６６８４号に示すように光源から放射した光を平行光とするフラットトップチューリップコリメーターを用いる方法が提案されているが、このフラットトップチューリップコリメーターは、光を発する面（出光部）が平坦面57として設けられており、外観形状はやはり傘型に近く、無機質な印象を与え兼ねない照明装置である。
【０００５】
更に、入射光を正確な平行光とするために、レンズ内部に凹部を設け、この凹部内の面を計算された曲面に成形しており、加工が複雑であると共に極めてコスト高となる。
【０００６】
また、仮に一般的なコリメーターレンズを使用することができるとしても、コリメーターレンズは光をコリメートさせるために計算された値に基づき、湾曲周面を正確に加工する必要があるため、加工が複雑で高価なものとなり、これを用いた照明装置もやはり極めて高価なものとなる。
【０００７】
【特許文献１】特表２００４−５１６６８４号公報
【考案の開示】
【考案が解決しようとする課題】
【０００８】
本考案は、美しい湾曲周面を表面に露出させた形状でありながら、光源から照射される光を必要箇所とその周辺との限られた範囲に集めることができ、しかも、この光が前記限られた範囲を略均一な光量で照射できることとなる照明装置を提供することを目的とすると共に、更に、この照明装置を容易に加工できる構成とすることで、安価に提供することを目的とする。
【課題を解決するための手段】
【０００９】
添付図面を参照して本考案の要旨を説明する。
【００１０】
光源１と、この光源１から照射される光を屈折するレンズ部２とを有する照明装置であって、前記レンズ部２は球形状であり、このレンズ部２の入光部３は、前記レンズ部２の湾曲周面の一部に形成された平坦面９であり、更に、前記入光部３には光散乱部５が設けられていることを特徴とする照明装置に係るものである。
【００１１】
また、請求項１記載の照明装置において、前記平坦面９は、前記球形状のレンズ部２の一部を除去して構成され該レンズ部２の中心軸と直交する面若しくは平行な面であることを特徴とする照明装置に係るものである。
【００１２】
また、請求項１，２いずれか１項に記載の照明装置において、前記光散乱部５は、前記平坦面９に光散乱シート６を設けて構成したもの、若しくは、前記平坦面９をブラスト法により加工して構成したものであることを特徴とする照明装置に係るものである。
【００１３】
また、請求項１〜３いずれか１項に記載の照明装置であって、前記光源１として、発光ダイオード若しくは有機ＥＬを採用したことを特徴とする照明装置に係るものである。
【００１４】
また、請求項１〜４いずれか１項に記載の照明装置において、前記平坦面９は、前記光源１の光軸Ｚがその中心を通る法線となるように構成されていることを特徴とする照明装置に係るものである。
【００１５】
また、請求項１〜５いずれか１項に記載の照明装置において、前記光源１と前記レンズ部２とは、所定の距離に固定されていることを特徴とする照明装置に係るものである。
【００１６】
また、光源51と、この光源51から照射される光を屈折するレンズ部52とを有する照明装置であって、前記レンズ部52は円柱形状であり、このレンズ部52の入光部53は、前記レンズ部52の湾曲周面の一部に形成された平坦面57であり、更に、前記入光部53には光散乱部55が設けられていることを特徴とする照明装置に係るものである。
【００１７】
また、請求項７記載の照明装置において、前記平坦面57は、前記円柱状のレンズ部52の一部を除去して構成され該レンズ部52の中心軸と平行な面であることを特徴とする照明装置に係るものである。
【００１８】
また、請求項７，８記載の照明装置において、前記光源51は、前記平坦面57とした前記レンズ部52の少なくとも左右両端部に設けられていることを特徴とする照明装置に係るものである。
【００１９】
また、請求項７〜９いずれか１項に記載の照明装置において、前記光散乱部55は、前記平坦面57に光散乱シートを設けて構成したもの、若しくは、前記平坦面57をブラスト法により加工して構成したものであることを特徴とする照明装置に係るものである。
【００２０】
また、請求項７〜１０いずれか１項に記載の照明装置であって、前記光源51として、発光ダイオード若しくは有機ＥＬを採用したことを特徴とする照明装置に係るものである。
【００２１】
また、請求項７〜１１いずれか１項に記載の照明装置において、前記平坦面57は、前記光源51の光軸Ｚが法線となり、この法線が前記レンズ部52の中心軸と交差するように構成されていることを特徴とする照明装置に係るものである。
【００２２】
また、請求項６〜１０いずれか１項に記載の照明装置において、前記光源51と前記レンズ部52とは、所定の距離に固定されていることを特徴とする照明装置に係るものである。
【００２３】
また、請求項１〜１１いずれか１項に記載の照明装置において、前記光源１，51にはハウジング７，59が設けられ、このハウジング７，56にはアーム部８が設けられ、このアーム部８には載置部４が設けられていることを特徴とする照明装置に係るものである。
【考案の効果】
【００２４】
本考案は上述のように構成したから、美しい湾曲周面をその表面に露出させた形状でありながら、光源から照射される光を必要箇所とその周辺との限られた範囲に集めることができ、更にこの光がこの限られた範囲を略均一な光量で照射できる照明装置を、安価に提供できることとなる。
【考案を実施するための最良の形態】
【００２５】
好適と考える本考案の実施形態を、図面に基づいて本考案の作用を示して簡単に説明する。
【００２６】
本考案は、光源１からの光を、レンズ部２，52を用いて屈折させることにより、光を必要箇所とその周辺との限られた範囲に集めて被照射部11，58（レンズ部２を通過した光が照射する面であって光軸Ｚと垂直な面）を略均一な光量で照射できることとなる。
【００２７】
また、本考案は、前述した構成としたから、レンズ部２，52を露出させた斬新なデザインの照明装置が得られることになる。具体的には、本考案はレンズ部２，52を球形状若しくは円柱状としており、湾曲周面を有するレンズ部２，52が露出する柔らかい印象が得られる極めて斬新なデザイン性の高い照明装置となる。
【００２８】
ところで、本考案は、レンズ部２，52を球形状若しくは円柱形状とし、このレンズ部２，52の入光部３，53は、レンズ部２，52の湾曲周面の一部に平坦面９,57を形成し、この平坦面９，57に光散乱部５，55を設けた構成とたから、実用的で秀れた照明装置が得られることになる。
【００２９】
以下、図４〜６を用いて、前述した本考案に係る照明装置が得られるまでの過程について説明する（ここでは、球形状のレンズ部２の例について説明する）。
【００３０】
初めに、図４に図示したように単なる球形状のレンズ部31に光源１からの光を透過させたところ（以下、実験例１）、被照射部32を照らす光が弱く、更に、被照射部32の内部33が外周34に比し暗く、また被照射部32が狭すぎるという問題が生じた（実用レベルまで達していない）。
【００３１】
そこで、図５に示すように、レンズ部41の湾曲周面の一部に平坦面47を形成して入光部42とし、この入光部42と光源１とを実験例１と同じ距離に配して、光源１の光を入光部42からレンズ部41に透過させたところ（以下、実験例２）、実験例１に比し、被照射部43をより明るく照らすことができた。また、更に、前記平坦面47を設ける位置を調整することにより、被照射部43の範囲を実験例１より広く適度な大きさを有した範囲とすることができた。
【００３２】
このことは、平坦面を設けたことにより、入光部42が広がると共に、透過率が100%ではないレンズ部41内を通過する光の経路長が短くなり、レンズ部41内での光の損失量が減少することとなるから、被照射部43が実験例１の被照射部32に比し広くなり、また全体的に明るくなったと考えられる。
【００３３】
しかしながら、実験例２であっても被照射部43の外周45に比し、内部44が暗いという問題がなお残った（実用レベルまで達していない）。
【００３４】
そこで、本考案者は、実験例１において、内部33が外周34に比し暗くなる理由を以下のように考察した。
【００３５】
即ち、球形状のレンズ部31を通過する光の経路長が、内部33の光の経路と、外周34の光の経路とが異なり、この経路長によって光の強度に差が生じると考察した。具体的には、光軸Ｚ付近では光の経路は、略球形状のレンズ部31の直径となり、光軸から離れた光の経路の長さは、ほぼ零からレンズ部31の直径の長さまであり、その平均は概ねこの球体の半径の長さと考えられ、従って、光軸Ｚ付近と光軸Ｚから離れた部位の光の強さは異なり、よって、光軸Ｚ付近では光軸Ｚから離れた部位よりも暗くなると考察した。
【００３６】
そこで、更に、本考案者は、図６に示したように入光部３の平坦面９を更に光散乱部５とすることとして、入光部３においてレンズ部２内に入光する光を一度散乱させる構成としたところ（以下、実験例３）、前述した実験例２に比し、被照射部11における光量が略均等となり実用レベルに達することを確認した。
【００３７】
これは、球形状のレンズ部31の光源１に照射される面を平坦面９にして光拡散部５を設けると、表面に微小な凹凸を設けたことによる光照射される実行的な表面積が増すと共に、表面の微小な凹凸が微小プリズム又はレンズとして機能し、入射光は球形状のレンズ部２内を透過し、又は多重反射しながら種々の光路からの光がランダムに重なりあってレンズ部２から出光されたためと考えられ、この場合、出光側は一様に強く照射されることになると考えられる。
【００３８】
また、円柱形状のレンズ部52を使用する照明装置においても、被照射部58を、照明装置の長さ方向となる長軸方向と、その方向と直交する短軸方向に分離して考えると、以下の理由により何れの場所においても明るさ（光量）が略均一となる。
【００３９】
即ち、短軸方向は、実施例１において説明した内容と同じ理由により光は略均等に広がることとなる。
【００４０】
また、長軸方向も、隣接する２つの光源51に注目すると、第一光源51が最も強く照射する第一光源51の直下においては、第二光源51の光が最も弱くなり、第二光源51の直下においてはその逆となるので、第一光源51と第二光源51との間の何れの場所においても、明るさ（光量）が略均一となるといえる。
【００４１】
従って、本考案は、レンズ部２，52の湾曲周面の一部に平坦面９，57を設けて、この平坦面９，57を入光部３，53とするから、入光部３が広くなると共に、レンズ部２内を透過する光の経路長を短くすることとなり、出光部10，54から被照射部11，58を照射する光は適度な広さを有する限られた範囲を照射できると共にこの被照射部11，58に十分な明るさの光を照射できることとなる。
【００４２】
また、入光部３，53として設けた前記平坦面９，57の表面を光散乱部５，55とするから、光源１から放射状に照射されて入光部３，53に照射される光は入光部３，53の表面に設けられた微小プリズム内を透過し、多重反射しながら種々の光路からの光がランダムに重なりあってレンズ部２内から出光されることとなり、被照射部11，58はこの拡散された光により略均一な光量で照射されることとなる。
【００４３】
更に、上述の改良により、従来のコリメーターレンズとは異なり、球形状や円柱形状といった単純な形状のレンズ部２，52を用いても光を必要箇所とその周辺との限られた場所に照射することができることとし、更に、必要箇所とその周辺との限られた箇所を略均一な光量で照射できることとしたから、この美しい湾曲周面を表面に露出させた形状の照明装置が提供できることとなる。
【００４４】
また、従来品のコリメーターレンズとは異なり、球形状や円柱形状の一般的な形状のものをレンズ部２，52として使用して、単に、このレンズ部２，52の湾曲周面の一部に平坦面９，57を形成し、この平坦面９，57に光散乱部５，55を設けるという簡易な加工のみで上記効果を実現でき、本考案の照明装置は製造が容易であり、安価に提供できることとなる。
【実施例１】
【００４５】
本考案の具体的な実施例１について図面に基づいて説明する。
【００４６】
本実施例は、図１に示すように、光源１と、この光源１から照射される光を屈折するレンズ部２とを有することとする。
【００４７】
光源１には、低発熱性を有する発光素子を用いる。具体的には、発光ダイオード（ＬＥＤ）若しくは有機ＥＬを採用する。より具体的に、本実施例ではＬＥＤを用いることとする。
【００４８】
また、光源１の色は、白色系（白色、温白色、電球色）、青、緑、オレンジ、赤等の発光色等を用いる。本実施例では白色系を用いることとする。
【００４９】
球形状のレンズ部２は、前記光源１に面した入光部３とこのレンズ部２を透過した光がこのレンズ部２から照射される出光部10とを有する構成とする。
【００５０】
また、このレンズ部２の入光部３は、前記レンズ部２の湾曲周面の一部に形成された平坦面９であり、更に、前記入光部３には光散乱部５（図３）が設けられている構成であることとする。
【００５１】
また、前記光散乱部５は、前記平坦面９に光散乱シート６を設けて構成したもの（図２）、若しくは、前記平坦面９をブラスト法により加工したものであることとする。
【００５２】
具体的には、本実施例では、サンドブラスト法により前記平坦面９を加工して光散乱部５としている。
【００５３】
また、前記出光部10は、レンズ部２の湾曲周面側となる。
【００５４】
また、前記平坦面９は、前記球形状のレンズ部２の一部を除去して構成され該レンズ部２の中心軸28と交差する面であり、且つ、光源１の光軸Ｚはこの平坦面９の中心を通る法線となるように構成されている。
【００５５】
また、前記平坦面９の位置は、レンズ部２が球体の半球以上を残す位置とする。本実施例では、φ50の球体をこの直径方向に５ｍｍ下がった位置で切断し、入光部３の成す円の直径を30ｍｍとしている。
【００５６】
尚、入光部３の位置を変え、入光部３の断面積を大きくすることにより、被照射部11をより明るく、より広くすることができることとなる。
【００５７】
また、レンズ部２は、光透過性を有し、このレンズ部２を透過することにより、光を進行方向より光軸Ｚ側に屈折させ得る素材とする（空気中からレンズ部２へ入光する際の屈折率が１以上となる素材）。
【００５８】
具体的には、アクリル球、ガラス球、ポリカーボネート球等を用いる。また、本実施例では、アクリル球を用いている。
【００５９】
また、本実施例では、このレンズ部２として、透明レンズ（透明アクリル球）を用いる。
【００６０】
尚、色彩は透明に限られるものではなく、例えば、有色ＬＥＤと着色レンズとの組み合わせにより色調を変化させても良い。
【００６１】
また、光源１とレンズ部２とは、所定の距離に固定されている。
【００６２】
本実施例では、光源１とレンズ部２とを近接させ、レンズ部２の球形状が主体となるデザイン性の高い構成とする。
【００６３】
本実施例では、光源１をレンズ部２に近接された構成とし、コンパクトでデザイン性の高い照明装置とすることとする。
【００６４】
尚、光源１とレンズ部２との距離は近接に限られるものではない。
【００６５】
次に、本考案の具体的な使用例について図面に基づいて説明する。
【００６６】
＜使用例１＞
本使用例は、図７に示すように、本考案の照明装置を電球型としたものである。
【００６７】
具体的には、レンズ部２に光源１を内包するハウジング16を設け、このハウジング16の外形状を既存の電球口金と同形状とすることとする。
【００６８】
また、光源１には、ＬＥＤを採用することとする。
【００６９】
また、このＬＥＤはＬＥＤ点灯用の回路基板と接続し、この回路基板はＬＥＤと共にハウジング16内に内蔵することとする。
【００７０】
また、アルミニウムなどの金属板を用いた放熱板17を設け、ＬＥＤの一部をこの放熱板17に接続し、この放熱板17の一部をハウジング16とレンズ部２との間に露出させる構成とする。
【００７１】
これにより、ＬＥＤから放出される少量の熱でさえもレンズ部２とハウジング16との間隙に設けられた放熱板17を伝わせて外部へ放出することが可能となり、ＬＥＤの寿命を延ばすことが可能となる。
【００７２】
＜使用例２＞
本使用例は、図１，８に示すように、本考案の照明装置を卓上型照明装置に使用したことを特徴とする。
【００７３】
具体的には、前記照明装置の光源１には、この光源１を内包したハウジング７が設けられ、このハウジング７にはアーム部８が設けられ、このアーム部８には載置部４が設けられている構成とする。
【００７４】
また、このハウジング７は光源１を内包する凹部14を有し、この凹部14の内周壁面をアルミ蒸着により光反射面15とすることとする。
【００７５】
レンズ部２とハウジング７とは、レンズ部２に締付螺子23用の螺子孔25を設け、ハウジング７には前記締付螺子23用の貫通孔26を設けることにより、締付螺子23にて締付固定することとする。
【００７６】
尚、光拡散部５を光散乱シート６により設ける場合には、この光散乱シート６にも締付螺子23用の螺子孔27を設けることとする。
【００７７】
また、このハウジング７には、リード線19を設ける。
【００７８】
アーム部８は、２本のアーム部８を高さ調整自在な接続部20により接続し、ハウジング７から続くリード線19を内包する構成とする。
【００７９】
即ち、前記レンズ部２は被照射部11に対しての距離が可変自在に設けられることとする。
【００８０】
アーム部８とハウジング７との接続部21は、角度変化自在となる接続部21により接続する。
【００８１】
載置部４には電源のON・OFF操作部24を設け、ハウジング７からアーム部８を通るリード線19を繋げると共に、電源用コードを設け、載置部４のON・OFF操作部24を操作することにより、容易に電源のON・OFF操作を可能とする構成とする。
【００８２】
また、この載置部４と前記アーム部８との接続部22は固定することとする。
【００８３】
また、本使用例のように卓上の照明装置とする他に、ハウジング７に吊下げ部を設けて、天井から吊下げる照明としても良い。
【００８４】
このように吊下げ用の照明装置とすると、例えば、ダイニングテーブル上にこの吊下げ用の照明装置を数本吊下げることにより、ダイニングテーブル上のディーナーを室内光より一段明るく照らして料理の色彩を鮮やかに照らせることとなり、より美味しそうな料理に演出することが可能となる。
【００８５】
また、下方や左右から対象物を照らすためのスポットライトとして使用しても良く、例えば黒い背景を用い、対象物のみを部分的に浮き上がらせる演出に使用しても、大きな効果が得られることとなる。
【００８６】
本実施例は上述のような構成としたので、載置部４に設けたON・OFF操作部24のスイッチをONにすることにより、光源１から光が発せられ、この光はレンズ部２の湾曲周面の一部を平坦面９とすることにより光を取り入れ易くした入光部３からレンズ部２内に入光し、しかも、この光は入光部３表面の光散乱部５で微小プリズム内を透過し、多重反射しながら種々の光路からの光がランダムに重なりあってレンズ部２内から出光されることとなり、また、出光の際には、この散乱した光は出光部10で光軸Ｚ側に屈折することにより、限られた範囲内を均一な光量で照射できることとなる。
【００８７】
また、直接レンズ部２に入光しない光も、ハウジング７内のアルミ蒸着された凹部14内の光反射面15によって反射して、レンズ部２内を通り、被照射部11を照射することとなる。
【００８８】
また、光源１には、低発熱性を有する発光素子であるＬＥＤを採用することとしたから、光源１とレンズ部２とを近接させる構成としてもレンズ部２が殆ど熱を持たず、光源１を被うハウジング７をより小さくでき、より美しい照明装置が得られることとなると共に、ＬＥＤの熱による劣化防ぎ、ＬＥＤの寿命を長くすることが可能であり、更に、ランニングコストも安い照明装置となる。
【００８９】
また、光軸Ｚが平坦面９の中心を通る法線となるように平坦面９の位置を構成したから、光軸Ｚに対し何れの位置においても左右対称に光が照射することなり、被照射部11を照射する光の光量はより均一になることとなる。
【００９０】
また、本実施例は、レンズ部２の湾曲周面の一部に平坦面９を設けて、この平坦面９を入光部３とするから、レンズ部２により多くの光がより広い面積で入光できることとなり、出光部10から被照射部11を照射する光は適度な広さを有する限られた範囲を照射することとなり、更に、レンズ部２内の光の経路長も短くなるから、この被照射部11は十分な明るさの光で照射されることとなる。
【００９１】
また、入光部３として設けた前記平坦面９の表面を光散乱部５とするから、光源１から放射状に照射されて入光部３から入光する光はこの光散乱部５で微小プリズム内を透過し、多重反射しながら種々の光路からの光がランダムに重なりあってレンズ部２内から出光されることとなり、被照射部11，58はこの拡散された光により略均一な光量で照射されることとなり、この散乱された光は略均一な光量で被照射部11を照射できることとなる。
【００９２】
更に、上述の改良により、従来のコリメーターレンズとは異なり、球形状や円柱形状といった単純な形状のレンズ部２を用いても光を必要箇所とその周辺との限られた範囲に照射することができ、更に、これらを前記限られた範囲に略均一な光量で照射できることとしたから、この美しい湾曲周面が表面に露出した形状の照明装置を提供できることとなる。
【００９３】
また、本考案の照明装置は従来品のコリメーターレンズとは異なり、球形状や円柱形状の一般的な形状のものをレンズ部２とし、単に、このレンズ部２の湾曲周面の一部に平坦面９を形成し、この平坦面９に光散乱部５を設けるという簡易な加工により得られることとなり、製造が容易であり、安価に提供できることとなる。
【実施例２】
【００９４】
本考案の具体的な実施例２について図面に基づいて説明する。
【００９５】
本実施例は、図９，10に示すように、光源51と、この光源51から照射される光を屈折するレンズ部52とを有する照明装置であって、前記レンズ部52は円柱形状であり、このレンズ部52の入光部53は、前記レンズ部52の湾曲周面の一部に形成された平坦面57であり、更に、前記入光部53には光散乱部55が設けられている構成とする。
【００９６】
また、光源51は、前記平坦面にしたレンズ部52の少なくとも左右両端部に設けられている構成とする。
【００９７】
また、図９に示すように、光源51を複数設け、円柱形のレンズ部52を長くすることにより、より広い範囲を照射できる照明装置となる。
【００９８】
本実施例は、具体的には、光源51を左右両端部と中央部との３箇所に設け、この３箇所の光源51を、直線上に配置する構成とする。
【００９９】
また、前記光源51として、発光ダイオード若しくは有機ＥＬを採用することとする。
【０１００】
前記平坦面57は、前記光源51の光軸Ｚが法線となり、この法線が前記レンズ部52の中心軸と交差するように構成することとする。
【０１０１】
また、前記平坦面57は、前記円柱状のレンズ部52の一部を除去して構成され該レンズ部52の中心軸62と平行な面である。
【０１０２】
更に、この平坦面57は、前記円柱状のレンズ部52が、この円柱の半柱以上となる位置に設けることとする。
【０１０３】
光散乱部55は、前記平坦面57に光散乱シートを設けて構成したもの、若しくは、前記平坦面57をブラスト法により加工して構成したものとする。
【０１０４】
また、前記光源51と前記レンズ部52とは、所定の距離に固定されていることとする。
【０１０５】
次に、本実施例の具体的な使用例について説明する。
【０１０６】
図９に示すように、前記光源51にはハウジング56が設けられ、このハウジング56にはアーム部８が設けられ、このアーム部８には載置部（図省略）が設けられている卓上型照明装置とする。
【０１０７】
このハウジング56は図10に示すように光源１を内包する凹部59を有し、この凹部59の内周壁面をアルミ蒸着により光反射面60とすることとする。
【０１０８】
レンズ部52とハウジング56とは、レンズ部52に締付螺子23用の螺子孔25を設け、ハウジング56には前記締付螺子23用の貫通孔26を設けることにより、締付螺子23にて締付固定することとする。
【０１０９】
尚、光拡散部５を光散乱シート６により設ける場合には、この光散乱シート６にも締付螺子用の螺子孔27を設けることとする。
【０１１０】
また、リード部19を内包するアーム部８を複数設け、各光源51に供給する電力を保ちつつ長い円柱形とし、複数のアーム部８を壁等に直接配設する構成として、廊下や階段の夜間照明及び間接照明としても良い。
【０１１１】
また、ハウジング56に吊下げ部を設けて、天井から吊下げる照明としても良い。
【０１１２】
前記レンズ部52は被照射部58に対しての距離が可変自在に設けられていることとする。
【０１１３】
本実施例は上述のように構成したから、被照射部58の何れの場所においても明るさ（光量）が略均一になる。
【０１１４】
被照射部58を、照明装置の長さ方向となる長軸方向と、その方向と直交する短軸方向とに分離して考える。
【０１１５】
即ち、短軸方向は、実施例１において説明した内容と同じ理由により光は略均等に広がることとなる。
【０１１６】
また、長軸方向も、例えば、隣接する２つの光源51に注目すると、第一光源51が最も強く照射する第一光源51の直下においては第二光源51の光が最も弱くなり、第二光源51が最も強く照射する第二光源51の直下においては第一光源51の光が最も弱くなるので、第一光源51と第二光源51との間の何れの場所においても、明るさが略均一となるといえる。
【０１１７】
従って、実施例２においても、被照射部58には略均一な光量で光が当たることとなり、明るさが略均一となる。
【０１１８】
また、本実施例は上述のように構成したから、実施例１に比し、より広い範囲を一度に照射できることとなり、卓上型の照明装置や室内用の吊下げ型の照明装置として使用できるだけでなく、廊下や階段等の距離のある場所でしかも足元だけを照らしたい等の用途にも対応できる実用的で極めて秀れた照明装置となる。
【０１１９】
その余は実施例１と同様である。
【０１２０】
また、本考案は、実施例１，２に限られるものではなく、各構成要件の具体的構成は適宜設計し得るものである。
【図面の簡単な説明】
【０１２１】
【図１】実施例１の使用状態を示す説明斜視図である。
【図２】実施例１の要部の説明斜視図である。
【図３】実験例１の要部の説明斜視図である。
【図４】実験例１の光路図（ａ）及び、説明斜視図（ｂ）である。
【図５】実験例２の光路図（ａ）及び、説明斜視図（ｂ）である。
【図６】実験例３の説明斜視図である。
【図７】実施例１における使用例１の説明正面図である。
【図８】実施例１における使用例２の説明斜視図である。
【図９】実施例２の使用状態を示す説明斜視図である。
【図１０】実施例２の説明断面図である。
【符号の説明】
【０１２２】
１  光源
２  レンズ部
３  入光部
４  載置部
５  光散乱部
６  光散乱シート
７  ハウジング
８  アーム部
９  平坦面
51  光源
52  レンズ部
53  入光部
54  出光部
55  光散乱部
59  ハウジング
60  平坦面
【図１】
0003144213.tif 000003
【図２】
0003144213.tif 000004
【図３】
0003144213.tif 000005
【図４】
0003144213.tif 000006
【図５】
0003144213.tif 000007
【図６】
0003144213.tif 000008
【図７】
0003144213.tif 000009
【図８】
0003144213.tif 000010
【図９】
0003144213.tif 000011
【図１０】
0003144213.tif 000012
【手続補正書】
【提出日】平成20年7月7日(2008.7.7)
【手続補正１】
【補正対象書類名】実用新案登録請求の範囲
【補正対象項目名】全文
【補正方法】変更
【補正の内容】
【実用新案登録請求の範囲】
【請求項１】
光源と、この光源から照射される光を屈折するレンズ部とを有する照明装置であって、前記レンズ部は球形状であり、このレンズ部の入光部は、前記レンズ部の湾曲周面の一部に形成された平坦面であり、更に、前記入光部には光散乱部が設けられていることを特徴とする照明装置。
【請求項２】
請求項１記載の照明装置において、前記平坦面は、前記球形状のレンズ部の一部を除去して構成され該レンズ部の中心軸と直交する面若しくは平行な面であることを特徴とする照明装置。
【請求項３】
請求項１，２いずれか１項に記載の照明装置において、前記光散乱部は、前記平坦面に光散乱シートを設けて構成したもの、若しくは、前記平坦面をブラスト法により加工して構成したものであることを特徴とする照明装置。
【請求項４】
請求項１〜３いずれか１項に記載の照明装置において、前記光源として、発光ダイオード若しくは有機ＥＬを採用したことを特徴とする照明装置。
【請求項５】
請求項１〜４いずれか１項に記載の照明装置において、前記平坦面は、前記光源の光軸がその中心を通る法線となるように構成されていることを特徴とする照明装置。
【請求項６】
請求項１〜５いずれか１項に記載の照明装置において、前記光源と前記レンズ部とは、所定の距離に固定されていることを特徴とする照明装置。
【請求項７】
光源と、この光源から照射される光を屈折するレンズ部とを有する照明装置において、前記レンズ部は円柱形状であり、このレンズ部の入光部は、前記レンズ部の湾曲周面の一部に形成された平坦面であり、更に、前記入光部には光散乱部が設けられていることを特徴とする照明装置。
【請求項８】
請求項７記載の照明装置において、前記平坦面は、前記円柱状のレンズ部の一部を除去して構成され該レンズ部の中心軸と平行な面であることを特徴とする照明装置。
【請求項９】
請求項７，８記載の照明装置において、前記光源は、前記平坦面とした前記レンズ部の少なくとも左右両端部に設けられていることを特徴とする照明装置。
【請求項１０】
請求項７〜９いずれか１項に記載の照明装置において、前記光散乱部55は、前記平坦面に光散乱シートを設けて構成したもの、若しくは、前記平坦面をブラスト法により加工して構成したものであることを特徴とする照明装置。
【請求項１１】
請求項７〜１０いずれか１項に記載の照明装置において、前記光源として、発光ダイオード若しくは有機ＥＬを採用したことを特徴とする照明装置。
【請求項１２】
請求項７〜１１いずれか１項に記載の照明装置において、前記平坦面は、前記光源の光軸が法線となり、この法線が前記レンズ部の中心軸と交差するように構成されていることを特徴とする照明装置。
【請求項１３】
請求項６〜１０いずれか１項に記載の照明装置において、前記光源と前記レンズ部とは、所定の距離に固定されていることを特徴とする照明装置。
【請求項１４】
請求項１〜１１いずれか１項に記載の照明装置において、前記光源にはハウジングが設けられ、このハウジングにはアーム部が設けられ、このアーム部には載置部が設けられていることを特徴とする照明装置。
【手続補正２】
【補正対象書類名】明細書
【補正対象項目名】全文
【補正方法】変更
【補正の内容】
【考案の詳細な説明】
【技術分野】
【０００１】
本考案は、従来にない極めてデザイン性に秀れて実用的な照明装置に関するものである。
【背景技術】
【０００２】
近年、光が人の心に与える作用が広く研究され始め、照明装置への関心は以前にも増して高まっている。例えば自宅などの居住空間において、心を癒し空間を居心地良くするためなど、照明装置には、実用性だけでなく空間を演出するためのデザイン性も強く求められている。特に、癒し効果を有するとされる球や円柱などの湾曲形状を有した照明装置の需要は高く、これら形状の照明装置は商品価値が高いものとなり、売り上げの向上も期待できる。
【０００３】
しかしながら、光を限られた箇所に照射するタイプの照明装置に関しては、光を必要箇所に集める為の円錐形の大きな傘が設けられており、外観が良くないものが一般的である。
【０００４】
また、傘を使わずに限られた範囲を照らす方法として、例えば特表２００４−５１６６８４号に示すように光源から放射した光を平行光とするフラットトップチューリップコリメーターを用いる方法が提案されているが、このフラットトップチューリップコリメーターは、光を発する面（出光部）が平坦面57として設けられており、外観形状はやはり傘型に近く、無機質な印象を与え兼ねない照明装置である。
【０００５】
更に、入射光を正確な平行光とするために、レンズ内部に凹部を設け、この凹部内の面を計算された曲面に成形しており、加工が複雑であると共に極めてコスト高となる。
【０００６】
また、仮に一般的なコリメーターレンズを使用することができるとしても、コリメーターレンズは光をコリメートさせるために計算された値に基づき、湾曲周面を正確に加工する必要があるため、加工が複雑で高価なものとなり、これを用いた照明装置もやはり極めて高価なものとなる。
【０００７】
【特許文献１】特表２００４−５１６６８４号公報
【考案の開示】
【考案が解決しようとする課題】
【０００８】
本考案は、美しい湾曲周面を表面に露出させた形状でありながら、光源から照射される光を必要箇所とその周辺との限られた範囲に集めることができ、しかも、この光が前記限られた範囲を略均一な光量で照射できることとなる照明装置を提供することを目的とすると共に、更に、この照明装置を容易に加工できる構成とすることで、安価に提供することを目的とする。
【課題を解決するための手段】
【０００９】
添付図面を参照して本考案の要旨を説明する。
【００１０】
光源１と、この光源１から照射される光を屈折するレンズ部２とを有する照明装置であって、前記レンズ部２は球形状であり、このレンズ部２の入光部３は、前記レンズ部２の湾曲周面の一部に形成された平坦面９であり、更に、前記入光部３には光散乱部５が設けられていることを特徴とする照明装置に係るものである。
【００１１】
また、請求項１記載の照明装置において、前記平坦面９は、前記球形状のレンズ部２の一部を除去して構成され該レンズ部２の中心軸と直交する面若しくは平行な面であることを特徴とする照明装置に係るものである。
【００１２】
また、請求項１，２いずれか１項に記載の照明装置において、前記光散乱部５は、前記平坦面９に光散乱シート６を設けて構成したもの、若しくは、前記平坦面９をブラスト法により加工して構成したものであることを特徴とする照明装置に係るものである。
【００１３】
また、請求項１〜３いずれか１項に記載の照明装置において、前記光源１として、発光ダイオード若しくは有機ＥＬを採用したことを特徴とする照明装置に係るものである。
【００１４】
また、請求項１〜４いずれか１項に記載の照明装置において、前記平坦面９は、前記光源１の光軸Ｚがその中心を通る法線となるように構成されていることを特徴とする照明装置に係るものである。
【００１５】
また、請求項１〜５いずれか１項に記載の照明装置において、前記光源１と前記レンズ部２とは、所定の距離に固定されていることを特徴とする照明装置に係るものである。
【００１６】
また、光源51と、この光源51から照射される光を屈折するレンズ部52とを有する照明装置において、前記レンズ部52は円柱形状であり、このレンズ部52の入光部53は、前記レンズ部52の湾曲周面の一部に形成された平坦面57であり、更に、前記入光部53には光散乱部55が設けられていることを特徴とする照明装置に係るものである。
【００１７】
また、請求項７記載の照明装置において、前記平坦面57は、前記円柱状のレンズ部52の一部を除去して構成され該レンズ部52の中心軸と平行な面であることを特徴とする照明装置に係るものである。
【００１８】
また、請求項７，８記載の照明装置において、前記光源51は、前記平坦面57とした前記レンズ部52の少なくとも左右両端部に設けられていることを特徴とする照明装置に係るものである。
【００１９】
また、請求項７〜９いずれか１項に記載の照明装置において、前記光散乱部55は、前記平坦面57に光散乱シートを設けて構成したもの、若しくは、前記平坦面57をブラスト法により加工して構成したものであることを特徴とする照明装置に係るものである。
【００２０】
また、請求項７〜１０いずれか１項に記載の照明装置において、前記光源51として、発光ダイオード若しくは有機ＥＬを採用したことを特徴とする照明装置に係るものである。
【００２１】
また、請求項７〜１１いずれか１項に記載の照明装置において、前記平坦面57は、前記光源51の光軸Ｚが法線となり、この法線が前記レンズ部52の中心軸と交差するように構成されていることを特徴とする照明装置に係るものである。
【００２２】
また、請求項６〜１０いずれか１項に記載の照明装置において、前記光源51と前記レンズ部52とは、所定の距離に固定されていることを特徴とする照明装置に係るものである。
【００２３】
また、請求項１〜１１いずれか１項に記載の照明装置において、前記光源１，51にはハウジング７，59が設けられ、このハウジング７，56にはアーム部８が設けられ、このアーム部８には載置部４が設けられていることを特徴とする照明装置に係るものである。
【考案の効果】
【００２４】
本考案は上述のように構成したから、美しい湾曲周面をその表面に露出させた形状でありながら、光源から照射される光を必要箇所とその周辺との限られた範囲に集めることができ、更にこの光がこの限られた範囲を略均一な光量で照射できる照明装置を、安価に提供できることとなる。
【考案を実施するための最良の形態】
【００２５】
好適と考える本考案の実施形態を、図面に基づいて本考案の作用を示して簡単に説明する。
【００２６】
本考案は、光源１からの光を、レンズ部２，52を用いて屈折させることにより、光を必要箇所とその周辺との限られた範囲に集めて被照射部11，58（レンズ部２を通過した光が照射する面であって光軸Ｚと垂直な面）を略均一な光量で照射できることとなる。
【００２７】
また、本考案は、前述した構成としたから、レンズ部２，52を露出させた斬新なデザインの照明装置が得られることになる。具体的には、本考案はレンズ部２，52を球形状若しくは円柱状としており、湾曲周面を有するレンズ部２，52が露出する柔らかい印象が得られる極めて斬新なデザイン性の高い照明装置となる。
【００２８】
ところで、本考案は、レンズ部２，52を球形状若しくは円柱形状とし、このレンズ部２，52の入光部３，53は、レンズ部２，52の湾曲周面の一部に平坦面９，57を形成し、この平坦面９，57に光散乱部５，55を設けた構成としたから、実用的で秀れた照明装置が得られることになる。
【００２９】
以下、図４〜６を用いて、前述した本考案に係る照明装置が得られるまでの過程について説明する（ここでは、球形状のレンズ部２の例について説明する）。
【００３０】
初めに、図４に図示したように単なる球形状のレンズ部31に光源１からの光を透過させたところ（以下、実験例１）、被照射部32を照らす光が弱く、更に、被照射部32の内部33が外周34に比し暗く、また被照射部32が狭すぎるという問題が生じた（実用レベルまで達していない）。
【００３１】
本考案者は、この理由を、光源１から照射される光のうちレンズ部31に入光可能な光は光源１からレンズ部31に引いた接線内の範囲に限られ、従って、極めて限られた範囲でしかレンズ部31内に光源１からの光が入光できないためであると考えた。
【００３２】
そこで、入光部35を湾曲周面ではなく平坦面47とし（図５）、光源１を、その光源１と入光部42との距離が実験１における光源１と入光部35との距離と同距離となる位置に配することにより、光源１からの光をレンズ部41に設けた平坦面47の何れの場所からもレンズ部41内に入光させることが可能となり、効率的に光をレンズ部41内に取り込むことが可能となるものと考え、更に、この平坦面47をレンズ部41に設ける際に、レンズ部41における平坦面47の位置を調節すれば、平坦面47の面積を調節できることとなり、被照射部43の面積をも調整することが可能となると考えた。
【００３３】
即ち、図５に示すように、レンズ部41の湾曲周面の一部に平坦面47を形成して入光部42とし、この入光部42と光源１とを実験例１と同じ距離に配して、光源１の光を入光部42からレンズ部41に透過させたところ（以下、実験例２）、実験例１に比し、被照射部43をより明るく照らすことができた。また、更に、前記平坦面47を設ける位置を調整することにより、被照射部43の範囲を実験例１より広く適度な大きさを有した範囲とすることができた。
【００３４】
しかしながら、実験例２であっても被照射部43の外周45に比し、内部44が暗いという問題がなお残った（実用レベルまで達していない）。
【００３５】
この点について、本考案者は以下のように考察した。
【００３６】
光源１から放射状に放たれた光は、平坦面47とした入光部42で入射光の進路方向に比し光軸Ｚ側に屈折し（第一屈折）、出光部46で再度レンズ部41内を透過してきた光の進路方向に比し光軸Ｚ側に屈折して（第二屈折）、光軸Ｚと平行となる方向に照射角を狭めながら（なお光軸Ｚと平行以上の広がりを有したまま）被照射部43を照らすこととなるが、出光部46は光軸Ｚから離れるに従い被照射部43（光軸Ｚに対し垂直な面）に対する傾斜角が急激に大きくなる湾曲周面であるから、この傾斜角の大きい出光部46に進んだ光束は、光軸Ｚ付近の出光部46に進んだ光束に比し隣接する光束の出光位置から光軸Ｚと垂直方向に僅かな距離しか進まないうちに出光部46に到達することとなる。即ち、傾斜角の大きい湾曲周面を出光部46として被照射部43の外周45を照射する光は隣合う光束の幅が狭く（光の密度が高く）、逆に、被照射部43の内部44では隣合う光束の幅が広く（光の密度が低く）なることとなり、よって、被照射部43の外周45が内部44に比し明るくなると考察した。
【００３７】
そこで、本考案者は、図６に示したように入光部３の平坦面９を更に光散乱部５とすることとして、入光部３においてレンズ部２内に入光する光を一度散乱させる構成としたところ（以下、実験例３）、前述した実験例２に比し、被照射部11における光量が略均等となり実用レベルに達することを確認した。
【００３８】
これは、光量の少なかった内部44の光のうち一部が散乱により外周45に向い放射され、光量の多い外周45からより多くの光が内部44に向い放射されることとなったため、内部12は実験例１，２に比し明るくなり、外周13では、実験例１，２に比し暗くなったためと考えられる。
【００３９】
また、円柱形状のレンズ部52を使用する照明装置においても、被照射部58を、照明装置の長さ方向となる長軸方向と、その方向と直交する短軸方向に分離して考えると、以下の理由により何れの場所においても明るさ（光量）が略均一となる。
【００４０】
即ち、短軸方向は、実施例１において説明した内容と同じ理由により光は略均等に広がることとなる。
【００４１】
また、長軸方向も、隣接する２つの光源51に注目すると、第一光源51が最も強く照射する第一光源51の直下においては、第二光源51の光が最も弱くなり、第二光源51の直下においてはその逆となるので、第一光源51と第二光源51との間の何れの場所においても、明るさ（光量）が略均一となるといえる。
【００４２】
従って、本考案は、レンズ部２，52の湾曲周面の一部に平坦面９，57を設けて、この平坦面９，57を入光部３，53とするから、レンズ部２,52に多くの光が広い面積で入光できることとなり、出光部10，54から被照射部11，58を照射する光は適度な広さを有する限られた範囲を照射できると共にこの被照射部11，58に十分な明るさの光を照射できることとなる。
【００４３】
また、入光部３，53として設けた前記平坦面９，57の表面を光散乱部５，55とするから、光源１から放射状に照射されて入光部３，53に照射される光はこの光散乱部５で無秩序に散乱されることとなり、被照射部11，58はこの拡散された光により略均一な光量で照射されることとなる。
【００４４】
更に、上述の改良により、従来のコリメーターレンズとは異なり、球形状や円柱形状といった単純な形状のレンズ部２，52を用いても光を必要箇所とその周辺との限られた場所に照射することができることとし、更に、必要箇所とその周辺との限られた箇所を略均一な光量で照射できることとしたから、この美しい湾曲周面を表面に露出させた形状の照明装置が提供できることとなる。
【００４５】
また、従来品のコリメーターレンズとは異なり、球形状や円柱形状の一般的な形状のものをレンズ部２，52として使用して、単に、このレンズ部２，52の湾曲周面の一部に平坦面９，57を形成し、この平坦面９，57に光散乱部５，55を設けるという簡易な加工のみで上記効果を実現でき、本考案の照明装置は製造が容易であり、安価に提供できることとなる。
【実施例１】
【００４６】
本考案の具体的な実施例１について図面に基づいて説明する。
【００４７】
本実施例は、図１に示すように、光源１と、この光源１から照射される光を屈折するレンズ部２とを有することとする。
【００４８】
光源１には、低発熱性を有する発光素子を用いる。具体的には、発光ダイオード（ＬＥＤ）若しくは有機ＥＬを採用する。より具体的に、本実施例ではＬＥＤを用いることとする。
【００４９】
また、光源１の色は、白色系（白色、温白色、電球色）、青、緑、オレンジ、赤等の発光色等を用いる。本実施例では白色系を用いることとする。
【００５０】
球形状のレンズ部２は、前記光源１に面した入光部３とこのレンズ部２を透過した光がこのレンズ部２から照射される出光部10とを有する構成とする。
【００５１】
また、このレンズ部２の入光部３は、前記レンズ部２の湾曲周面の一部に形成された平坦面９であり、更に、前記入光部３には光散乱部５（図３）が設けられている構成であることとする。
【００５２】
また、前記光散乱部５は、前記平坦面９に光散乱シート６を設けて構成したもの（図２）、若しくは、前記平坦面９をブラスト法により加工したものであることとする。
【００５３】
具体的には、本実施例では、サンドブラスト法により前記平坦面９を加工して光散乱部５としている。
【００５４】
また、前記出光部10は、レンズ部２の湾曲周面側となる。
【００５５】
また、前記平坦面９は、前記球形状のレンズ部２の一部を除去して構成され該レンズ部２の中心軸28と交差する面であり、且つ、光源１の光軸Ｚはこの平坦面９の中心を通る法線となるように構成されている。
【００５６】
また、前記平坦面９の位置は、レンズ部２が球体の半球以上を残す位置とする。本実施例では、φ50の球体をこの直径方向に５ｍｍ下がった位置で切断し、入光部３の成す円の直径を30ｍｍとしている。
【００５７】
尚、入光部３の位置を変え、入光部３の断面積を大きくすることにより、被照射部11をより明るく、より広くすることができることとなる。
【００５８】
また、レンズ部２は、光透過性を有し、このレンズ部２を透過することにより、光を進行方向より光軸Ｚ側に屈折させ得る素材とする（空気中からレンズ部２へ入光する際の屈折率が１以上となる素材）。
【００５９】
具体的には、アクリル球、ガラス球、ポリカーボネート球等を用いる。また、本実施例では、アクリル球を用いている。
【００６０】
また、本実施例では、このレンズ部２として、透明レンズ（透明アクリル球）を用いる。
【００６１】
尚、色彩は透明に限られるものではなく、例えば、有色ＬＥＤと着色レンズとの組み合わせにより色調を変化させても良い。
【００６２】
また、光源１とレンズ部２とは、所定の距離に固定されている。
【００６３】
本実施例では、光源１とレンズ部２とを近接させ、レンズ部２の球形状が主体となるデザイン性の高い構成とする。
【００６４】
本実施例では、光源１をレンズ部２に近接させた構成とし、コンパクトでデザイン性の高い照明装置とすることとする。
【００６５】
尚、光源１とレンズ部２との距離は近接したものに限られるものではない。
【００６６】
次に、本考案の具体的な使用例について図面に基づいて説明する。
【００６７】
＜使用例１＞
本使用例は、図７に示すように、本考案の照明装置を電球型としたものである。
【００６８】
具体的には、レンズ部２に光源１を内包するハウジング16を設け、このハウジング16の外形状を既存の電球口金と同形状とすることとする。
【００６９】
また、光源１には、ＬＥＤを採用することとする。
【００７０】
また、このＬＥＤはＬＥＤ点灯用の回路基板と接続し、この回路基板はＬＥＤと共にハウジング16内に内蔵することとする。
【００７１】
また、アルミニウムなどの金属板を用いた放熱板17を設け、ＬＥＤの一部をこの放熱板17に接続し、この放熱板17の一部をハウジング16とレンズ部２との間に露出させる構成とする。
【００７２】
これにより、ＬＥＤから放出される少量の熱でさえもレンズ部２とハウジング16との間隙に設けられた放熱板17を伝わせて外部へ放出することが可能となり、ＬＥＤの寿命を延ばすことが可能となる。
【００７３】
＜使用例２＞
本使用例は、図１，８に示すように、本考案の照明装置を卓上型照明装置に使用したことを特徴とする。
【００７４】
具体的には、前記照明装置の光源１には、この光源１を内包したハウジング７が設けられ、このハウジング７にはアーム部８が設けられ、このアーム部８には載置部４が設けられている構成とする。
【００７５】
また、このハウジング７は光源１を内包する凹部14を有し、この凹部14の内周壁面をアルミ蒸着により光反射面15とすることとする。
【００７６】
レンズ部２とハウジング７とは、レンズ部２に締付螺子23用の螺子孔25を設け、ハウジング７には前記締付螺子23用の貫通孔26を設けることにより、締付螺子23にて締付固定することとする。
【００７７】
尚、光拡散部５を光散乱シート６により設ける場合には、この光散乱シート６にも締付螺子23用の螺子孔27を設けることとする。
【００７８】
また、このハウジング７には、リード線19を設ける。
【００７９】
アーム部８は、２本のアーム部８を高さ調整自在な接続部20により接続し、ハウジング７から続くリード線19を内包する構成とする。
【００８０】
即ち、前記レンズ部２は被照射部11に対しての距離が可変自在に設けられることとする。
【００８１】
アーム部８とハウジング７との接続部21は、角度変化自在となる接続部21により接続する。
【００８２】
載置部４には電源のON・OFF操作部24を設け、ハウジング７からアーム部８を通るリード線19を繋げると共に、電源用コードを設け、載置部４のON・OFF操作部24を操作することにより、容易に電源のON・OFF操作を可能とする構成とする。
【００８３】
また、この載置部４と前記アーム部８との接続部22は固定することとする。
【００８４】
また、本使用例のように卓上の照明装置とする他に、ハウジング７に吊下げ部を設けて、天井から吊下げる照明としても良い。
【００８５】
このように吊下げ用の照明装置とすると、例えば、ダイニングテーブル上にこの吊下げ用の照明装置を数本吊下げることにより、ダイニングテーブル上のディーナーを室内光より一段明るく照らして料理の色彩を鮮やかに照らせることとなり、より美味しそうな料理に演出することが可能となる。
【００８６】
また、下方や左右から対象物を照らすためのスポットライトとして使用しても良く、例えば黒い背景を用い、対象物のみを部分的に浮き上がらせる演出に使用しても、大きな効果が得られることとなる。
【００８７】
本実施例は上述のような構成としたので、載置部４に設けたON・OFF操作部24のスイッチをONにすることにより、光源１から光が発せられ、この光はレンズ部２の湾曲周面の一部を平坦面９とすることにより光を取り入れ易くした入光部３からレンズ部２内に入光し、無秩序に散乱しながらレンズ部２内に入光することとなり、このレンズ部２内に入光した光が出光部10から出光する際には、この散乱した光は出光部10で光軸Ｚ側に屈折することにより、限られた範囲内を均一な光量で照射できることとなる。
【００８８】
また、直接レンズ部２に入光しない光も、ハウジング７内のアルミ蒸着された凹部14内の光反射面15によって反射して、レンズ部２内を通り、被照射部11を照射することとなる。
【００８９】
また、光源１には、低発熱性を有する発光素子であるＬＥＤを採用することとしたから、光源１とレンズ部２とを近接させる構成としてもレンズ部２が殆ど熱を持たず、光源１を被うハウジング７をより小さくでき、より美しい照明装置が得られることとなると共に、ＬＥＤの熱による劣化防ぎ、ＬＥＤの寿命を長くすることが可能であり、更に、ランニングコストも安い照明装置となる。
【００９０】
また、光軸Ｚが平坦面９の中心を通る法線となるように平坦面９の位置を構成したから、光軸Ｚに対し何れの位置においても左右対称に光が照射することなり、被照射部11を照射する光の光量はより均一になることとなる。
【００９１】
また、本実施例は、レンズ部２の湾曲周面の一部に平坦面９を設けて、この平坦面９を入光部３とするから、レンズ部２により多くの光がより広い面積で入光できることとなり、出光部10から被照射部11を照射する光は適度な広さを有する限られた範囲を照射することとなり、更に、この被照射部11は十分な明るさの光で照射されることとなる。
【００９２】
また、入光部３として設けた前記平坦面９の表面を光散乱部５とするから、光源１から放射状に照射されて入光部３から入光する光はこの光散乱部５で無秩序に散乱されることとなり、この散乱された光は略均一な光量で被照射部11を照射できることとなる。
【００９３】
更に、上述の改良により、従来のコリメーターレンズとは異なり、球形状や円柱形状といった単純な形状のレンズ部２を用いても光を必要箇所とその周辺との限られた範囲に照射することができ、更に、これらを前記限られた範囲に略均一な光量で照射できることとしたから、この美しい湾曲周面が表面に露出した形状の照明装置を提供できることとなる。
【００９４】
また、本考案の照明装置は従来品のコリメーターレンズとは異なり、球形状や円柱形状の一般的な形状のものをレンズ部２とし、単に、このレンズ部２の湾曲周面の一部に平坦面９を形成し、この平坦面９に光散乱部５を設けるという簡易な加工により得られることとなり、製造が容易であり、安価に提供できることとなる。
【実施例２】
【００９５】
本考案の具体的な実施例２について図面に基づいて説明する。
【００９６】
本実施例は、図９，10に示すように、光源51と、この光源51から照射される光を屈折するレンズ部52とを有する照明装置であって、前記レンズ部52は円柱形状であり、このレンズ部52の入光部53は、前記レンズ部52の湾曲周面の一部に形成された平坦面57であり、更に、前記入光部53には光散乱部55が設けられている構成とする。
【００９７】
また、光源51は、前記平坦面にしたレンズ部52の少なくとも左右両端部に設けられている構成とする。
【００９８】
また、図９に示すように、光源51を複数設け、円柱形のレンズ部52を長くすることにより、より広い範囲を照射できる照明装置となる。
【００９９】
本実施例は、具体的には、光源51を左右両端部と中央部との３箇所に設け、この３箇所の光源51を、直線上に配置する構成とする。
【０１００】
また、前記光源51として、発光ダイオード若しくは有機ＥＬを採用することとする。
【０１０１】
前記平坦面57は、前記光源51の光軸Ｚが法線となり、この法線が前記レンズ部52の中心軸と交差するように構成することとする。
【０１０２】
また、前記平坦面57は、前記円柱状のレンズ部52の一部を除去して構成され該レンズ部52の中心軸62と平行な面である。
【０１０３】
更に、この平坦面57は、前記円柱状のレンズ部52が、この円柱の半柱以上となる位置に設けることとする。
【０１０４】
光散乱部55は、前記平坦面57に光散乱シートを設けて構成したもの、若しくは、前記平坦面57をブラスト法により加工して構成したものとする。
【０１０５】
また、前記光源51と前記レンズ部52とは、所定の距離に固定されていることとする。
【０１０６】
次に、本実施例の具体的な使用例について説明する。
【０１０７】
図９に示すように、前記光源51にはハウジング56が設けられ、このハウジング56にはアーム部８が設けられ、このアーム部８には載置部（図省略）が設けられている卓上型照明装置とする。
【０１０８】
このハウジング56は図10に示すように光源１を内包する凹部59を有し、この凹部59の内周壁面をアルミ蒸着により光反射面60とすることとする。
【０１０９】
レンズ部52とハウジング56とは、レンズ部52に締付螺子23用の螺子孔25を設け、ハウジング56には前記締付螺子23用の貫通孔26を設けることにより、締付螺子23にて締付固定することとする。
【０１１０】
尚、光拡散部５を光散乱シート６により設ける場合には、この光散乱シート６にも締付螺子用の螺子孔27を設けることとする。
【０１１１】
また、リード部19を内包するアーム部８を複数設け、各光源51に供給する電力を保ちつつ長い円柱形とし、複数のアーム部８を壁等に直接配設する構成として、廊下や階段の夜間照明及び間接照明としても良い。
【０１１２】
また、ハウジング56に吊下げ部を設けて、天井から吊下げる照明としても良い。
【０１１３】
前記レンズ部52は被照射部58に対しての距離が可変自在に設けられていることとする。
【０１１４】
本実施例は上述のように構成したから、被照射部58の何れの場所においても明るさ（光量）が略均一になる。
【０１１５】
被照射部58を、照明装置の長さ方向となる長軸方向と、その方向と直交する短軸方向とに分離して考える。
【０１１６】
即ち、短軸方向は、実施例１において説明した内容と同じ理由により光は略均等に広がることとなる。
【０１１７】
また、長軸方向も、例えば、隣接する２つの光源51に注目すると、第一光源51が最も強く照射する第一光源51の直下においては第二光源51の光が最も弱くなり、第二光源51が最も強く照射する第二光源51の直下においては第一光源51の光が最も弱くなるので、第一光源51と第二光源51との間の何れの場所においても、明るさが略均一となるといえる。
【０１１８】
従って、実施例２においても、被照射部58には略均一な光量で光が当たることとなり、明るさが略均一となる。
【０１１９】
また、本実施例は上述のように構成したから、実施例１に比し、より広い範囲を一度に照射できることとなり、卓上型の照明装置や室内用の吊下げ型の照明装置として使用できるだけでなく、廊下や階段等の距離のある場所でしかも足元だけを照らしたい等の用途にも対応できる実用的で極めて秀れた照明装置となる。
【０１２０】
その余は実施例１と同様である。
【０１２１】
また、本考案は、実施例１，２に限られるものではなく、各構成要件の具体的構成は適宜設計し得るものである。
【図面の簡単な説明】
【０１２２】
【図１】実施例１の使用状態を示す説明斜視図である。
【図２】実施例１の要部の説明斜視図である。
【図３】実験例１の要部の説明斜視図である。
【図４】実験例１の光路図（ａ）及び、説明斜視図（ｂ）である。
【図５】実験例２の光路図（ａ）及び、説明斜視図（ｂ）である。
【図６】実験例３の説明斜視図である。
【図７】実施例１における使用例１の説明正面図である。
【図８】実施例１における使用例２の説明斜視図である。
【図９】実施例２の使用状態を示す説明斜視図である。
【図１０】実施例２の説明断面図である。
【符号の説明】
【０１２３】
１  光源
２  レンズ部
３  入光部
４  載置部
５  光散乱部
６  光散乱シート
７  ハウジング
８  アーム部
９  平坦面
51  光源
52  レンズ部
53  入光部
54  出光部
55  光散乱部
56  ハウジング
57  平坦面